(57)【要約】【課題】  かみそり器の使用時に肌の凹凸に回転体を追従して肌の保護効果を高める。【解決手段】  電気かみそり１は、体毛を剃る刃部４と、刃部４が肌に押し当てられた状態で肌表面に接触し、刃部４が肌に沿って移動されることに応じて移動方向に回転可能な複数の回転体１０と、複数の回転体１０の孔部に挿通され、複数の回転体１０を回転可能にする軸部とを有し、複数の回転体１０が、刃部４の高さに応じた高低差を設けて配置されている。【選択図】      図１
2014023545.tif 000002
【特許請求の範囲】
【請求項１】
体毛を剃る刃部と、
前記刃部が肌に押し当てられた状態で肌表面に接触し、所定方向に回転可能な複数の回転体と、
前記複数の回転体の孔部に挿通され、前記複数の回転体を回転可能にする軸部とを有し、
前記複数の回転体が、前記刃部の高さに応じた高低差を設けて配置されていること
を特徴とするかみそり器。
【請求項２】
前記複数の回転体の最高点が、前記軸部の軸方向における略中央部であり、
前記軸部の軸方向における端部に向かうほど、前記回転体の高さを低くしたこと
を特徴とする請求項１に記載のかみそり器。
【請求項３】
前記刃部が下死点に達した時における前記刃部の最高点の高さが、当該刃部の最高点近傍の回転体の高さ以下であること特徴とする請求項１又は請求項２に記載のかみそり器。
【請求項４】
前記複数の回転体のうちの前記軸部の軸方向における端部の回転体の高さが、前記刃部が下死点に達した時における前記刃部の最低の高さ以上であることを特徴とする請求項１乃至請求項３の何れか一項に記載のかみそり器。
【発明の詳細な説明】
【技術分野】
【０００１】
本発明は、かみそり器に関する。
【背景技術】
【０００２】
外刃近傍に摩擦体を備えたものとしては、下記の特許文献１が知られている。特許文献１に記載された電気かみそりは、外刃を挟んで対向する一対の摩擦体と、外刃を肌に押圧した際、外刃から所定の間隔の位置の肌に衝合するように摩擦体を保持する支持体を有するものである。この電気かみそりは、その使用時に肌を両側に引き伸ばすことにより、深ぞりができるようにしている。
【先行技術文献】
【特許文献】
【０００３】
【特許文献１】実開平6-21582号公報
【発明の概要】
【発明が解決しようとする課題】
【０００４】
しかしながら、上述した電気かみそりは、摩擦体（回転体）が軸方向に一体の形状であるため、複雑な肌の凹凸に十分に追従できない。
【０００５】
そこで、本発明は、上述した実情に鑑みて提案されたものであり、かみそり器の使用時に肌の凹凸に回転体を追従させて肌の保護効果を高めることを目的とする。
【課題を解決するための手段】
【０００６】
本発明の第１の態様に係るかみそり器は、体毛を剃る刃部と、前記刃部が肌に押し当てられた状態で肌表面に接触し、所定方向に回転可能な複数の回転体と、前記複数の回転体の孔部に挿通され、前記複数の回転体を回転可能にする軸部とを有し、前記複数の回転体が、前記刃部の高さに応じた高低差を設けて配置されていることを特徴とする。
【０００７】
本発明の第２の態様に係るかみそり器は、上記第１の態様のかみそり器であって、前記複数の回転体の最高点が、前記軸部の軸方向における略中央部であり、前記軸部の軸方向における端部に向かうほど、前記複数の回転体の高さを低くしたことを特徴とする。
【０００８】
本発明の第３の態様に係るかみそり器は、上記第１又は第２の態様のかみそり器であって、前記刃部が下死点に達した時における前記刃部の最高点の高さが、当該刃部の最高点近傍の回転体の高さ以下であることを特徴とする。
【０００９】
本発明の第４の態様に係るかみそり器は、上記第１乃至第３の何れかの態様のかみそり器であって、前記複数の回転体のうちの前記軸部の軸方向における端部の回転体の高さが、前記刃部が下死点に達した時における前記刃部の最低の高さ以上であることを特徴とする。
【発明の効果】
【００１０】
本発明によれば、複数の回転体を刃部の高さに応じた高低差を設けて配置したので、かみそり器の使用時に肌の凹凸に回転体を追従させることができ、肌の保護効果を高めることができる。
【図面の簡単な説明】
【００１１】
【図１】本発明の実施形態として示すかみそり器の全体斜視図である。
【図２】図１に示すかみそり器のヘッド部の斜視図である。
【図３】図２に示すヘッド部における刃ヘッドハウジングの正面図である。
【図４】刃ヘッドハウジングの他の構成例を示す斜視図である。
【図５】支持部を設けた刃ヘッドハウジングの構成例を示す正面図である。
【図６】（ａ）は通常時におけるローラと外刃部との関係を示す側面図であり、（ｂ）は使用時におけるローラと外刃部との関係を示す側面図である。
【図７】ローラの端部を曲面とした実施形態を示す図であり、（ａ）は通常時におけるローラと外刃部との関係を示す側面図であり、（ｂ）は使用時におけるローラと外刃部との関係を示す側面図である。
【図８】軸部の端部を曲面とした実施形態を示す図であり、（ａ）は通常時におけるローラと外刃部との関係を示す側面図であり、（ｂ）は使用時におけるローラと外刃部との関係を示す側面図である。
【図９】中央のローラの高さを最高とし、端部のローラの高さを低くしたときにおけるローラと外刃部との関係を示す側面図である。
【図１０】（ａ）は通常時におけるローラと外刃部との関係を示す側面図であり、（ｂ）は外刃部の下死点とローラの高さを同等としたことを示す側面図である。
【図１１】（ａ）は通常時におけるローラと外刃部との関係を示す側面図であり、（ｂ）は外刃部の端部の下死点よりもローラの高さを高くしたことを示す側面図である。
【発明を実施するための形態】
【００１２】
以下、本発明の実施の形態について図面を参照して説明する。
【００１３】
なお、以下に説明する実施形態は、本発明を電気かみそりに適用した場合を示すが、本発明のかみそり器はこれに限定されず、例えば電動式ではないかみそり器やその他の除毛器を含むものとする。
【００１４】
本実施形態として示す電気かみそり１は、例えば図１に示すように構成される。電気かみそり１は、使用者が把持するグリップ部２と、このグリップ部２の先端部に連結されるヘッド部３とを有する。
【００１５】
グリップ部２には、電気かみそり１を動作させる（電源をオン・オフさせる）押圧式のスイッチ２１が設けられている。このスイッチ２１は、本実施形態では押圧式を例示したが、スライド式やその他のオン・オフできるスイッチであればよい。
【００１６】
ヘッド部３は、図１及び図２に示すように、ヘッド部本体３１と刃ヘッドハウジング３２とを含む。ヘッド部本体３１は、グリップ部２に取り付けられ、グリップ部２に支持されている。刃ヘッドハウジング３２は、ヘッド部本体３１に着脱自在に構成される。
【００１７】
刃ヘッドハウジング３２は、電気かみそり１の主たる移動方向としてのＸ方向の両端に、回転体としての複数のローラ１０が設けられている。なお、複数のローラ１０は、外刃部４の両端に設けられているが、一方端に設けられていてもよい。一方端のみに複数のローラ１０を設ける場合、外刃部４のスイッチ２１側に設けることが望ましい。
【００１８】
刃ヘッドハウジング３２は、その上部の開口に、外刃部４が収まる形状となっている。刃ヘッドハウジング３２は、ヘッド部本体３１に装着された状態で、図１乃至図３に示すように、外刃部４に隣接するよう複数のローラ１０を配置する。これにより、複数のローラ１０は、外刃部４が肌に押し当てられた状態で肌表面に接触する。複数のローラ１０は、外刃部４が肌に沿ってＸ方向に移動されることに応じて、所定の移動方向（Ｘ方向）に回転可能となっている。
【００１９】
また、刃ヘッドハウジング３２における複数のローラ１０は、図３に示すように、外刃部４の高さに応じた高低差を設けて配置されている。各ローラ１０は、軸部１１が創通可能な孔部１０ｈ（図６参照）が設けられている。これにより、軸部１１は、複数のローラ１０に挿通され、複数のローラ１０を回転可能に支持する。
【００２０】
なお、刃ヘッドハウジング３２のローラ１０、軸部１１と外刃部４との関係については、後に詳述する。
【００２１】
外刃部４は、使用者の肌表面から延びる体毛を剃るに際して肌に押し当てられる。外刃４１は、刃ヘッドハウジング３２がヘッド部本体３１に装着された状態で、刃ヘッドハウジング３２の開口から露出する。外刃４１は、そのＸ方向の両端に、複数のローラ１０が配設される。
【００２２】
外刃部４には、体毛を剃る内刃及び当該内刃を動作させる駆動部（図示せぬ）が内蔵されている。外刃部４は、図２に示すように、ヘッド部３の上方に露出して肌表面に接触する複数の外刃４１を含む。
【００２３】
外刃４１は、その長手方向Ｙ（本実施形態では左右方向）と直交する短手方向Ｘ（本実施形態では前後方向）に複数（５枚）並設されている。具体的には、外刃４１として短手方向Ｘの手前側から奥側に向かって、第１のネット刃４１Ａ、第２のネット刃４１Ｂ、スリット刃４２、第３のネット刃４１Ｃ及び第４のネット刃４１Ｄが順に並設されている。
【００２４】
これらの第１〜第４のネット刃４１Ａ〜４１Ｄは、電気かみそり１を長手方向Ｙ（側面方向）から見た時に、上方が凸となるように短手方向Ｘに沿って逆Ｕ字状に湾曲形成されている。換言すれば、外刃４１は、その上部形状が円弧状になっている。すなわち、外刃４１の長手方向Ｙにおける略中央部が高く、外刃４１の長手方向Ｙおける端部は略中央部よりも低い形状となっている。
【００２５】
この外刃４１の形状に合わせて、図３に示すように、複数の回転体としてのローラ１０が、外刃部４の高さに応じた高低差を設けて配置されている。
【００２６】
また、これら第１〜第４のネット刃４１Ａ〜４１Ｄは、電気かみそり１の短手方向Ｘ（正面方向）から見た時にも、中央部が若干上方に凸となるように長手方向Ｙに沿って湾曲形成されている。また、これら第１〜第４のネット刃４１Ａ〜４１Ｄには、体毛を取り込むための多数の刃穴（図示省略）が形成されている。  
スリット刃４２は、先端が略平坦面となるように略逆Ｕ字状に折曲形成されている。このスリット刃４２は、平坦な上壁から側壁に亘って体毛を取り込むための多数のスリット（図示省略）が形成されている。
【００２７】
このような電気かみそり１では、外刃部４に内蔵された駆動部によって内刃を外刃４１に対して長手方向Ｙに往復運動させる。これにより、外刃４１と内刃との共働動作によって、外刃４１の刃穴やスリットに入り込んだ体毛を切断する。つまり、この切断によって体毛が剃られることになる。
【００２８】
なお、本実施形態では、外刃部４の外刃４１が第１〜第４のネット刃４１Ａ〜４１Ｄおよびスリット刃４２の５枚刃で構成された場合を例示したが、外刃４１の枚数は５枚に限ることなく、少なくとも１枚以上の外刃４１を備えていればよい。
【００２９】
上述したように、刃ヘッドハウジング３２には、図３に示したように、複数のローラ１０が設けられている。複数のローラ１０は、外刃部４の短手方向Ｘ（前後方向）の両外方近傍に設けられている。つまり、第１のネット刃４１ＡのＸ方向外側と第４のネット刃４１ＤのＸ方向外側にそれぞれローラ（回転体）１０が設けられている。
【００３０】
ローラ１０は、外刃部４が肌に押し当てられた状態で肌表面に接触する。ローラ１０は、外刃部４が肌に沿って移動されることに応じて移動方向に回転可能となっている。これにより、ローラ１０は、肌表面と外刃部４との摩擦を低減する。ローラ１０は、容易に変形しない材料、例えば、硬質プラスチックやセラミックス等で形成されることが好ましい。
【００３１】
本実施形態では、外刃部４の短手方向Ｘの外側にそれぞれ設けられたローラ１０は、外刃部４を挟んで略対称に配置されている。そして、外刃部４を挟んで対となったローラ１０は、図２及び図３に示すように、それぞれ長手方向Ｙに直列に複数設けられている。
【００３２】
複数個のローラ１０は、図３に示すように、各ローラ１０の中心部を相対回転自在に貫通した軸部１１によって軸支持されている。つまり、各ローラ１０には中心孔（孔部）１０ｈ（図６を参照）が形成されている。孔部１０ｈには、軸部１１が僅かな隙間をもって挿通される。これにより、各ローラ１０が軸部１１を中心として回転自在となっている。
【００３３】
刃ヘッドハウジング３２のＸ方向両側で対向する両辺３２ａ、３２ｂには、ローラ１０を配置するのに十分な深さをもって凹設部３２ｃが設けられている。ローラ１０は、凹設部３２ｃに浮いた状態で配置される。軸部１１の両端部は、凹設部３２ｃを跨いで刃ヘッドハウジング３２に固定されている。
【００３４】
ローラ１０は、外刃部４で体毛を剃る際に肌表面に接触しつつ回転する。これにより、外刃部４を肌表面に沿って移動させる際に外刃４１と肌表面との摩擦力を低減させる機能を有している。したがって、ローラ１０は、外刃４１よりも肌表面側（Ｚ方向）に所定量突出して配置されている。図３に示すように、軸部１１は、外刃４１のＹ方向に延在する先端形状に沿って緩やかに湾曲しており、その軸部１１に軸支持された複数個のローラ１０は、略中央部がＺ方向に突出している。
【００３５】
ローラ１０は、図４に示すように構成されていても良い。ローラ１０は、図３よりも個数が少なく、長手方向Ｙに長い形状となっている。このような構成であっても、ローラ１０は、外刃部４を肌表面に沿って移動させる際に外刃４１と肌表面との摩擦力を低減させることができる。
【００３６】
更に、刃ヘッドハウジング３２は、図５に示すように、軸部１１を支持する支持部２０を設けてもよい。この支持部２０は、刃ヘッドハウジング３２のＸ方向両側で対向する両辺３２ａ、３２ｂと、軸部１１とによって挟まれるように配置される。これにより、支持部２０は、ローラ１０が肌に押し当てられたときに軸部１１が撓むことを抑制できる。
【００３７】
つぎに、上述したように構成された電気かみそり１におけるローラ１０の種々の構成例について説明する。
【００３８】
電気かみそり１は、図６（ａ）に示すように、複数のローラ１０ａ，１０ｂ，１０ｃを、外刃部４の高さに応じた高低差を設けて配置している。図６の電気かみそり１は、各ローラ１０ａ，１０ｂ，１０ｃを、各軸部１１によって支持している。また、軸部１１の下端部には、各ローラ１０ａ，１０ｂ，１０ｃの高さが変動できるよう弾性部品（図示せず）が設けられている。したがって、ローラ１０ａ，１０ｂ，１０ｃが肌に押しつけられたことに応じて、押付力を軸部１１に伝達し、軸部１１に接続された弾性部品によって吸収できる。これにより、ローラ１０ａ，１０ｂ，１０ｃは、押付力に合わせて上下する。すなわち、ローラ１０ａ，１０ｂ，１０ｃは、肌の凹凸に合わせて上下動作（フロート動作）する。
【００３９】
この電気かみそり１は、ローラ１０を配置することによって肌を保護する効果を得ることができる。これは、ローラ１０によって外刃部４が肌に与える摩擦を低減するためである。これにより、肌に対して外刃部４の滑りが良好となり、使用途中での突発的に外刃部４の押付力が上昇することが低減される。また、外刃部４の押付力が上昇したとしても、ローラ１０によって押付力を分散できる。これにより、外刃部４と肌の接触部分の圧力上昇が抑制される。一方、電気かみそり１が対象とする人の顔形状は、基本的に平面ではなく連続的な凹凸形状をしている。そのため、肌に外刃部４を密着しても、外刃部４から肌に与える圧力を分散させるためには、外刃部４の形状も凹凸形状であることが望ましい。
【００４０】
したがって、複数のローラ１０は、上記した摩擦低減による押付力上昇を抑制する、押付力が上昇しても押付力を分散する、という効果を十分発揮するために、外刃部４の形状に沿った凹凸形状としている。
【００４１】
このために、電気かみそり１は、ローラ１０ａ，１０ｂ，１０ｃを長手方向Ｙに複数配置している。また、電気かみそり１は、各ローラ１０ａ，１０ｂ，１０ｃの高さｈａ，ｈｂ，ｈｃを、外刃部４の高さに合わせている。更に、電気かみそり１は、隣接するローラ１０ａ，１０ｂ，１０ｃ同士の表面高さｈａ，ｈｂ，ｈｃを、軸部１１よりも高くする。
【００４２】
このような、電気かみそり１は、使用されていない時又は外刃部４への押付力が弱いときには、図６（ａ）に示すように、外刃部４の形状に合わせて、ローラ１０ａ，１０ｂ，１０ｃが配置されている。すなわち、外刃部４の円弧形状に合わせて、ローラ１０ａ，１０ｂ，１０ｃに高低差を設けて配置している。
【００４３】
電気かみそり１は、その使用時において、外刃部４及びローラ１０ａ，１０ｂ，１０ｃが肌に押し当てられたときに、肌の凹凸に合わせてローラ１０ａ，１０ｂ，１０ｃが上下に移動する。例えば、図６（ｂ）に示すように外刃部４が凹状に変形したときには、ローラ１０ａ，１０ｂ，１０ｃは、当該外刃部４の変形に合わせて上下動作する。すなわち、肌の凹凸に合わせて、ローラ１０ａ，１０ｂ，１０ｃが上下動作する。図６（ｂ）の例では、外刃部４の略中央部が最も低くなったことに対し、ローラ１０ｂの高さｈｂが、ローラ１０ａ，１０ｃの高さｈａ、ｈｃよりも低くなる。
【００４４】
このように、電気かみそり１は、その使用時において、複数のローラ１０ａ，１０ｂ，１０ｃが肌の凹凸形状に追従して動作する。これにより、電気かみそり１は、肌の凹凸形状に合わせて外刃部４を密着しても、ローラ１０ａ，１０ｂ，１０ｃによって、外刃部４の肌への押付力を分散できる。したがって、電気かみそり１は、ローラ１０ａ，１０ｂ，１０ｃによって肌を保護する効果を発揮できる。
【００４５】
他の電気かみそり１としては、例えば図７に示すように、ローラ１０ａ，１０ｂ，１０ｃの端部１０’を曲面形状とすることが望ましい。この電気かみそり１は、図７（ａ）に示すように、外刃部４が肌に押し当てられていない通常時においては、ローラ１０ａ，１０ｂ，１０ｃの上端が外刃部４の高さと同等以下となっている。
【００４６】
電気かみそり１は、その使用時において外刃部４が肌へ押しつけられて上下移動（フロート）する際には、図７（ｂ）に示すように、ローラ１０ａ，１０ｂ，１０ｃの上端が外刃部４よりも高くなって露出することがある。このとき、ローラ１０ａ，１０ｂ，１０ｃの端部１０’が角部になっていると、当該角部が肌に当接して使用者に不快感を与える可能性がある。
【００４７】
そこで、電気かみそり１は、ローラ１０ａ，１０ｂ，１０ｃの端部１０’を曲面形状（Ｒ形状）にしている。これにより、図７（ｂ）のように、ローラ１０ａ，１０ｂ，１０ｃの端部１０’が外刃部４よりも高くなるときがあっても、ローラ１０ａ，１０ｂ，１０ｃが肌に当接することによる刺激を低減できる。したがって、この電気かみそり１によれば、ローラ１０ａ，１０ｂ，１０ｃを設けることによる肌の保護効果の低減を抑制できる。
【００４８】
更に他の電気かみそり１としては、例えば図８に示すように、軸部１１の端部１１’の形状を、曲線形状とすることが望ましい。この電気かみそり１は、図８（ａ）に示すように、外刃部４が肌に押し当てられていない通常時においては、軸部１１が外刃部４の高さとより低くなっている。
【００４９】
電気かみそり１は、その使用時において外刃部４が肌へ押しつけられ、上下移動量がローラ１０ａ，１０ｂ，１０ｃの半径よりも大きい場合には、図８（ｂ）に示すように、軸部１１が外刃部４よりも高くなって露出することがある。このとき、軸部１１の端部１１’が角部になっていると、当該角部が肌に当接して使用者に不快感を与える可能性がある。
【００５０】
そこで、電気かみそり１は、軸部１１の端部１１’を曲面形状（Ｒ形状）にしている。これにより、図８（ｂ）のように、軸部１１の端部１１’が外刃部４よりも高くなるときがあっても、軸部１１が肌に当接することによる刺激を低減できる。したがって、この電気かみそり１によれば、ローラ１０ａ，１０ｂ，１０ｃを設けることによる肌の保護効果の低減を抑制できる。
【００５１】
電気かみそり１は、図９に示すように、複数のローラ１０ａ，１０ｂ，１０ｃの最高点の高さｈｂが、軸部１１の軸方向における略中央部（１０ｂ）とすることが望ましい。また、この電気かみそり１は、軸部１１の軸方向における端部に向かうほど、複数のローラ１０ａ，１０ｃの高さｈａ，ｈｃを低くすることが望ましい。
【００５２】
この電気かみそり１において、使用者は、グリップ部２を把持して、主として図１における短手方向Ｘに外刃部４を往復動作（主動作）する。その一方で、実際には、主となる短手方向Ｘのみならず長手方向Ｙにも外刃部４が往復動作（副動作）される。このような主動作及び副動作をする際、グリップ部２を介して使用者の手首を回転中心とした回転運動をするため、肌に接する外刃部４の面形状は上方に凸であることが望ましい。
【００５３】
したがって、ローラ１０ａ，１０ｂ，１０ｃは、外刃部４の面形状に合わせて、略中央のローラ１０ｂの上部が最高点となるようにする。一方で、ローラ１０ａ，１０ｂ，１０ｃのうち、長手方向Ｙの端部のローラ１０ａ，１０ｃとなるほど上部の位置を低くする。
【００５４】
これにより、手首を捻って軸方向（長手方向Ｙ）に電気かみそり１を動作させる際、肌に連続的に外刃部４が密着しやすくなる。したがって、この電気かみそり１によれば、肌への外刃部４の押付力の変動が小さくなり、肌への保護効果を発揮することができる。
【００５５】
更に上述した電気かみそり１は、図１０に示すように、外刃部４が下死点に達した時における外刃部４の最高点の高さを、当該外刃部４の最高点近傍のローラ１０の高さ以下とすることが望ましい。
【００５６】
この電気かみそり１は、図８（ａ）に示すように、外刃部４が肌に押し当てられていない通常時においては、全てのローラ１０ａ，１０ｂ，１０ｃが外刃部４の上面よりも低くなっている。
【００５７】
電気かみそり１は、その使用時において外刃部４が肌へ押しつけられ所定の上下移動量（外刃フロート量）となると、それ以上に外刃部４の上面が沈まない下死点に達する。外刃部４が押し当てられていないときの外刃部４の上面から下死点に至るまでの上下移動量（外刃フロート量）は、予め規定されている。
【００５８】
この外刃部４をフロートさせる機構（フロート機構）は、突発的に外刃部４の押付力が上昇することを抑制するため、押付力に応じて外刃部４をフロートさせる。このフロート機構は、使用初期などの外刃部４に対する押付力が軽微である時には機能するが、深剃りしようとして外刃部４を強く押し当てて使う場合には、上下移動量が下死点に達する。この下死点に達した状態では、外刃部４が肌に押しつけられる押付力が急上昇して肌を傷める可能性がある。
【００５９】
そこで、この電気かみそり１は、外刃部４が下死点まで押しつけられたとき、図１０（ｂ）に示すように、複数のローラ１０のうち最も高い位置のローラ１０ｂの上部と、外刃部４の上面の高さが同じとなるようにする。又は、電気かみそり１は、外刃部４の上面の高さを、複数のローラ１０のうち最も高い位置のローラ１０ｂの上部よりも低くする。
【００６０】
この略中央のローラ１０ｂの高さ位置ｈｂは、外刃部４の押付圧力の急上昇を抑制して、外刃部４が下死点に至るまでの剃り性を阻害しない位置である。また、複数のローラ１０ａ，１０ｂ，１０ｃのうち、最も高い高さｈｂを有して肌に最も当たりやすい略中央部のローラ１０ｂの高さを規定することが望ましい。
【００６１】
このような電気かみそり１によれば、外刃部４を最も強く肌に押し付けた状態であっても、剃り性を阻害せずに肌の保護効果を発揮できる。
【００６２】
更に上述した電気かみそり１は、複数のローラ１０のうちの軸部１１の軸方向における端部のローラ１０の高さが、外刃部４が下死点に達した時における外刃部４の最低の高さ以上とすることが望ましい。
【００６３】
この電気かみそり１は、図１１（ａ）に示すように、外刃部４が肌に押し当てられていない通常時においては、全てのローラ１０ａ，１０ｂ，１０ｃが外刃部４の上面よりも低くなっている。
【００６４】
この電気かみそり１は、図１１に示すように、外刃部４が、図中の矢印で示すように、長手方向Ｙに傾くようにフロートとする機構（図示せず）を有している。外刃部４が長手方向Ｙに傾くように左右にフロートする動作は、電気かみそり１に対して副動作である外刃部４の長手方向Ｙに電気かみそり１を操作したときに発生する。このとき、使用者の肌には、外刃部４の端部が当接することになる。また、使用者が深剃りしようとして外刃部４を強く押し当てて使う場合には、外刃部４のフロートが下死点に達して、外刃部４の押付圧力が急上昇して肌を傷める可能性がある。
【００６５】
そこで、この電気かみそり１は、図１１（ｂ）に示すように、複数のローラ１０のうち長手方向Ｙ（軸方向）における端部のローラ１０ａ，１０ｃの高さｈａ’，ｈｃ’を、外刃部４が下死点に達した時における外刃部４の最低の高さとすることが望ましい。又は、複数のローラ１０のうち長手方向Ｙ（軸方向）における端部のローラ１０ａ，１０ｃの高さｈａ’，ｈｃ’を、外刃部４が下死点に達した時における外刃部４の最低の高さより高くすることが望ましい。この端部のローラ１０ａ，１０ｃの高さ位置ｈａ，ｈｃは、外刃部４の押付圧力の急上昇を抑制して、外刃部４が下死点に至るまでの剃り性を阻害しない位置である。また、複数のローラ１０ａ，１０ｂ，１０ｃのうち、長手方向Ｙに操作されたときに、最も肌に当たりやすい端部のローラ１０ａ，１０ｃの高さを規定することが望ましい。
【００６６】
このような電気かみそり１によれば、外刃部４を横方向に滑らせて外刃部４を最も強く肌に押し付けた状態であっても、剃り性を阻害せずに肌の保護効果を発揮できる。
【００６７】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００６８】
１  電気かみそり
４  外刃部
１０  ローラ
１０ａ，１０ｂ，１０ｃ  ローラ
１０ｈ  孔部
１１  軸部
３１  ヘッド部本体
３２  刃ヘッドハウジング
３２ｃ  凹設部
４１  外刃
４１Ａ  第１のネット刃
４１Ｂ  第２のネット刃
４１Ｃ  第３のネット刃
４１Ｄ  第４のネット刃
４２  スリット刃
【図１】
2014023545.tif 000003
【図２】
2014023545.tif 000004
【図３】
2014023545.tif 000005
【図４】
2014023545.tif 000006
【図５】
2014023545.tif 000007
【図６】
2014023545.tif 000008
【図７】
2014023545.tif 000009
【図８】
2014023545.tif 000010
【図９】
2014023545.tif 000011
【図１０】
2014023545.tif 000012
【図１１】
2014023545.tif 000013